【事件の表示】
　特願２０１６−５６１３５８「立体ビューイング」拒絶査定不服審判事件〔平成２７年１０月１５日国際公開、ＷＯ２０１５／１５５４０６、平成２９年　７月　６日国内公表、特表２０１７−５１８６６３〕について、次のとおり審決する。
【結　論】
　本件審判の請求は、成り立たない。
【理　由】
第１　手続の経緯
　本願は、２０１５年（平成２７年）３月１９日（パリ条約による優先権主張　外国庁受理２０１４年４月７日　英国）を国際出願日とする出願であって、その手続の経緯は以下のとおりである。
平成２８年１１月２２日　　：手続補正
平成３０年　１月３１日付け：拒絶理由通知
　　　同年　５月　２日　　：手続補正、意見書の提出
　　　同年１０月　９日付け：拒絶査定
平成３１年　２月１８日　　：審判請求
第２　本願発明
　本願の請求項に係る発明は、平成３０年５月２日付けの手続補正により補正された特許請求の範囲の請求項１〜３４に記載された事項により特定されるものと認められるところ、その請求項１８に係る発明（以下、「本願発明」という。）は、以下のとおりのものである。
　なお、本願発明の各構成の符号は、説明のために当審において付与したものであり、以下、構成Ａ〜構成Ｄと称する。
（本願発明）
（Ａ）シーンの立体映像シーケンスを形成するためにユーザーの頭部向きを決定するステップと、
（Ｂ）前記頭部向きに基づいて第１の画像ソース、第２の画像ソースおよび第３の画像ソースを選択するステップと、
（Ｃ）前記第１の画像ソースおよび前記第２の画像ソースを用いてユーザーの左眼についての画像シーケンス、および、前記第１の画像ソースおよび前記第３の画像ソースを用いて前記ユーザーの右眼についての画像シーケンスをレンダリングすることによって前記立体映像シーケンスをレンダリングするステップであって、
（Ｃ１）前記第１の画像ソースが、前記立体映像シーケンスの各立体フレーム内の前記ユーザーの前記左眼および右眼についての前記シーンの異なるエリアをレンダリングするために使用される、ステップと、
（Ｄ）を含む方法。
第３　原査定における拒絶の理由
　本願発明についての原査定の拒絶の理由の理由１及び理由２は、概略、以下のとおりである。
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
                            記
●理由１（新規性）、理由２（進歩性）について
・引用文献等　１
●理由２（進歩性）について
・引用文献等　２−４
＜引用文献等一覧＞
１.特表２００４−５１４９５１号公報
２.特開平６−４６３１３号公報
３.特開２００２−１７１４６０号公報（周知技術を示す文献）
４.米国特許第５７０３６０４号明細書（周知技術を示す文献）
第４　引用文献の記載及び引用発明
１　引用文献１の記載事項
　原査定の拒絶の理由に引用文献１として引用された特表２００４−５１４９５１号公報には、「球面立体視撮影システム及びその方法」（発明の名称）に関して、図面とともに、次の事項が記載されている。
（１）「【００１１】
本発明の第４の形態は、
立体視表示を可能にする手段を備えるシステムにより、観察者に表示される視界領域の完全な立体視球面画像をキャプチャし、表示するプロセス
このプロセスは、ａ）すべてのレンズによりキャプチャされる全体の視界がレンズアレイの周りの視界領域全体をカバーし、この全体の視界における任意の点が少なくとも２つのレンズによりキャプチャされるように、画像群をキャプチャする３次元レンズアレイを配置するステップ；ｂ）立体視表示のためのシステムから、観察者の視界の座標を受け取るステップ；ｃ）画像群から観察者の視界をカバーする立体視画像ペアを形成するステップ；ｄ）立体視表示のためのシステムにより立体視画像ペアを観察者に表示するステップ；から構成される。画像群から立体視画像ペアを形成するステップは、ａ）観察者の視界を画像群に投影するステップ；ｂ）画像群から、少なくとも部分的に観察者の視界とオーバーラップする画像グループを選択するステップ；ｃ）左画像部分のグループと右画像部分のグループ得るために、観察者の目線に垂直で画像中心を通る直線により選択された画像グループの各画像を左部と右部に分割するステップ；ｄ）選択される左部のグループを得るために、左画像部分のグループから観察者の視界とオーバーラップする部分を選択するステップ；ｅ）選択された左部を立体視ペアの右側画像である単一の２次元第１画像に統合するステップ；ｆ）選択される右部のグループを得るために、右画像部分のグループから観察者の視界とオーバーラップする部分を選択するステップ；ｇ）選択された右部を立体視ペアの左側画像である単一の２次元第２画像に統合するステップ；から構成される
［好適実施例の詳細な説明］
本発明は、完全な立体視球面画像あるいはその連続部分を同時にキャプチャするシステム及び方法を提供する。立体視画像を形成するための本発明による方法は光学原理に基づくものであり、したがって任意の撮影技術に適用可能である。本発明の実施例では、本発明によるシステムはデジタルビデオカメラを備えるが、アナログビデオカメラやフィルムカメラが使われてもよい。本発明によるシステムでは、静止画あるいは動画のための時系列画像が生成されてもよい。」
（２）「【００２９】
（中略）
図４及び図５は、
画像の記録
に関する主要なステップを示している
レンズ１のそれぞれによりキャプチャされた画像（あるいは画像系列）情報が
画質の向上のため画像プロセッサ３０により随意的に処理される
画像あるいは画像系列）画像情報が、レンズ指標と時間指標とともに記録される
（３）「【００３１】
記録された画像は既知のバーチャルリアリティ装置６０を利用した表示システム５０を介して観察者に表示される。また、
表示システム５０はカメラシステムから直接にリアルタイムで画像情報を受信
してもよい
（４）「【００３３】
図６は、表示パラメータに従い観察者に表示するために、記録された画像群から立体視画像のペアを生成するステップを示すフローチャートである。観察者の表示パラメータはバーチャルリアリティに関する既知の手段６０を利用することにより検出される。（中略）
【００３４】
ステップ６１０において、
観察者がバーチャルリアリティヘッドセットの装着中に頭を動かすことによって
表示システムにより表示パラメータが検出・受信される。観察者の表示パラメータには、観察者の表示方向と観察者の目線が含まれる
【００３５】
ステップ６２０において、これらの
表示パラメータに従い、観察者の視界がその周囲の球体の座標に関して決定され、記録されている画像群に投影される
（５）「【００３８】
図７は、本発明による立体視ペアの生成例を示す。フレーム１００は表示システム６０により受け取られた観察者の視界を表す。図示されたフレームは矩形形状を有する。しかしながら、カメラの技術的能力に依存して、同一の立体視原理が丸いフレームに適用されてもよい。
フレーム３１、３２及び３３は、カメラシステム１０のレンズにより
撮影された観察者の視界１００をオーバーラップする３つの隣接画像を示す
フレーム３１と３３がフレーム１００のそれぞれ左側と右側を部分的にオーバーラップしている一方、真ん中のフレーム３２はフレーム１００を完全にカバーしている
観察者の右目に表示される新たな画像４０が、画像３２の左部と画像３３の左部を統合することにより形成される。同様にして左画像４１は、画像３１の右部と画像３２の右部を統合することにより形成され、ペア画像が形成され
観察者の視界方向に向いた光軸と水平方向のずれを有する２つのバーチャルレンズにより撮影された画像
（６）「【００４０】
このように形成された
立体視画像ペアが
バーチャルリアリティーヘッドセットのような表示装置を利用することにより表示される
（７）「［図７］　　　　　　　　　　　　　　　　　　　　　　　　　　
　　　                    　　　　　　　　　　　　　　　　　　　　」
（８）「Reference is now made to Fig 6 which is a flowchart describing the steps for generating a pair of stereoscopic images from the collection of recorded images in order to be displayed to the viewer according to his viewing parameters. The viewer's viewing parameters are detected by employing known means in the art of virtual reality, designated 60.（中略）
  In step 610, when a viewer selects a specific view, either by actually turning his head while wearing a virtual reality headset, or by a pointing device coupled to a computer device, the viewing parameters are detected and received by the displaying system. The viewer's viewing parameters include the 
viewer's viewing direction
  In step 620, in accordance with these parameters, the viewer's field of vision is determined in terms of the coordinates of the sphere surrounding the viewer and is projected into the collection of stored images. In step 630 all the images that overlap at least partially the viewer's field of vision are selected from the collection of recorded images.」（第２６頁第２５行〜第２７頁第１２行）
（９）「Fig. 7 pictorially describes one example of generating a stereoscopic pair according to the present invention. Frame 100 represents the viewer's field of vision as received by viewing system 60. The illustrated frame has rectangular shape, however the same stereoscopic principles can be applied to circular frames depending on the cameras technological capabilities. Frames 31, 32 and 33 represent three adjacent images, taken by the lenses (as viewed from underneath) of the camera system 10, which overlap viewer's field of vision 100. The middle frame 32 covers frame 100 completely while frames 31 and 33 partly overlap the left and the right sides of frame 100, respectively. In accordance with steps 640-660 of Fig. 6, a new image 40, to be displayed to the viewer's right eye, is formed from images 32 and 33 by merging a left portion of image 32 with a left portion of image 33. Left image 41 is formed similarly by merging a right portion of image 32 with a right portion of image 31 to form a uniform image. New images 40 and 41 both cover the viewer's field of vision but obviously they are not identical, and are perceived as were taken from two viewpoints, thus giving the viewer a stereoscopic perception. Roughly, this new image pair is equivalent to 
a pair of images as if were taken by two virtual lenses having their optical axes directed forward in the viewer's viewing direction and having horizontal disparity
２　引用文献１に記載された発明
　引用文献１に記載された発明を以下に認定する。
（１）上記１（１）によれば、引用文献１には、「立体視表示を可能にする手段を備えるシステムにより、観察者に表示される視界領域の完全な立体視球面画像をキャプチャし、表示するプロセス」が記載されており、当該プロセスは、
「ａ）すべてのレンズによりキャプチャされる全体の視界がレンズアレイの周りの視界領域全体をカバーし、この全体の視界における任意の点が少なくとも２つのレンズによりキャプチャされるように、画像群をキャプチャする３次元レンズアレイを配置するステップ；
ｂ）立体視表示のためのシステムから、観察者の視界の座標を受け取るステップ；
ｃ）画像群から観察者の視界をカバーする立体視画像ペアを形成するステップ；
ｄ）立体視表示のためのシステムにより立体視画像ペアを観察者に表示するステップ」
から構成されることが記載されている。
　また、上記ｃ）のステップである「画像群から立体視画像ペアを形成するステップ」は、
「ａ）観察者の視界を画像群に投影するステップ；
ｂ）画像群から、少なくとも部分的に観察者の視界とオーバーラップする画像グループを選択するステップ；
ｃ）左画像部分のグループと右画像部分のグループ得るために、観察者の目線に垂直で画像中心を通る直線により選択された画像グループの各画像を左部と右部に分割するステップ；
ｄ）選択される左部のグループを得るために、左画像部分のグループから観察者の視界とオーバーラップする部分を選択するステップ；
ｅ）選択された左部を立体視ペアの右側画像である単一の２次元第１画像に統合するステップ；
ｆ）選択される右部のグループを得るために、右画像部分のグループから観察者の視界とオーバーラップする部分を選択するステップ；
ｇ）選択された右部を立体視ペアの左側画像である単一の２次元第２画像に統合するステップ；
から構成されるプロセス」
から構成されることが記載されている。
　これらを統合すると、引用文献１には、
「（ａ）立体視表示を可能にする手段を備えるシステムにより、観察者に表示される視界領域の完全な立体視球面画像をキャプチャし、表示するプロセスであって、当該プロセスは、
（ｂ）すべてのレンズによりキャプチャされる全体の視界がレンズアレイの周りの視界領域全体をカバーし、この全体の視界における任意の点が少なくとも２つのレンズによりキャプチャされるように、画像群をキャプチャする３次元レンズアレイを配置するステップ；
（ｃ）立体視表示のためのシステムから、観察者の視界の座標を受け取るステップ；
（ｄ）画像群から観察者の視界をカバーする立体視画像ペアを形成するステップ；
　前記画像群から立体視画像ペアを形成するステップは、
（ｄ１）観察者の視界を画像群に投影するステップ；
（ｄ２）画像群から、少なくとも部分的に観察者の視界とオーバーラップする画像グループを選択するステップ；
（ｄ３）左画像部分のグループと右画像部分のグループ得るために、観察者の目線に垂直で画像中心を通る直線により選択された画像グループの各画像を左部と右部に分割するステップ；
（ｄ４）選択される左部のグループを得るために、左画像部分のグループから観察者の視界とオーバーラップする部分を選択するステップ；
（ｄ５）選択された左部を立体視ペアの右側画像である単一の２次元第１画像に統合するステップ；
（ｄ６）選択される右部のグループを得るために、右画像部分のグループから観察者の視界とオーバーラップする部分を選択するステップ；
（ｄ７）選択された右部を立体視ペアの左側画像である単一の２次元第２画像に統合するステップ；
（ｅ）立体視表示のためのシステムにより立体視画像ペアを観察者に表示するステップ；
（ａ）から構成されるプロセス。」
が記載されている。（ただし、上記１（１）のとおり、引用文献１において、異なる構成に、同一のａ）〜ｄ）という符号が用いられているため、便宜的に、新たな符号（ａ）〜（ｅ）を用いている。）
（２）上記１（２）によれば、引用文献１に記載されたプロセスは、「画像の記録に関するステップ」を含むことが記載されている。
　当該画像の記録に関するステップは、「レンズ１のそれぞれによりキャプチャされた画像（あるいは画像系列）情報が、画質の向上のため処理され、（画像あるいは画像系列）画像情報が、レンズ指標と時間指標とともに記録される」ことが記載されている。
　また、上記１（３）によれば、当該画像情報は、「カメラシステムから直接にリアルタイムで受信」してもよいことが記載されている。
　これらを統合すると、引用文献１に記載されたプロセスは、「レンズ１のそれぞれによりキャプチャされた画像（あるいは画像系列）情報が、画質の向上のため処理され、（画像あるいは画像系列）画像情報がレンズ指標と時間指標とともに記録され、カメラシステムから直接にリアルタイムで受信するステップ」から構成されることが記載されている。
（３）上記１（４）【００３３】及び【００３４】によれば、上記（ｃ）の立体視表示のためのシステムから受け取るステップは、「観察者がバーチャルリアリティヘッドセットの装着中に頭を動かすことによって、表示システムにより表示パラメータが検出・受信され、観察者の表示パラメータには、観察者の表示方向と観察者の目線が含まれる」ことが記載されている。
　上記１（４）は、上記１（８）を翻訳したものであって、上記「観察者の表示方向」は、上記１（８）の「viewer's viewing direction」を翻訳したものである。
　ここで、上記１（５）の「観察者の視界方向に向いた光軸と水平方向のずれを有する２つのバーチャルレンズにより撮影された画像」は、上記１（９）の「a pair of images as if were taken by two virtual lenses having their optical axes directed forward in the viewer's viewing direction and having horizontal disparity」を翻訳したものであることを鑑みると、上記１（４）の「観察者の表示方向」（viewer's viewing direction）は、上記１（５）の「観察者の視界方向」（viewer's viewing direction）と同じものとして認定する。
　そうすると、引用文献１に記載されたプロセスは、「前記立体視表示のためのシステムから受け取るステップは、観察者がバーチャルリアリティヘッドセットの装着中に頭を動かすことによって、表示システムにより表示パラメータが検出・受信され、観察者の表示パラメータには、観察者の視界方向と観察者の目線が含まれる」ことが記載されている。
（４）上記１（４）【００３５】によれば、上記（ｄ１）のステップは、「表示パラメータに従い、観察者の視界がその周囲の球体の座標に関して決定され、記録されている画像群に投影される」ことが記載されている。
（５）上記１（５）によれば、上記（ｄ２）の画像群から選択するステップが選択する画像グループは、「フレーム３１、３２及び３３は、カメラシステムのレンズにより撮影された観察者の視界をオーバーラップする３つの隣接画像であり、フレーム３１と３３がフレーム１００のそれぞれ左側と右側を部分的にオーバーラップしている一方、真ん中のフレーム３２はフレーム１００を完全にカバーしている」であることが記載されている。
（６）上記１（５）及び（７）によれば、上記（ｄ４）のステップにおいて、前記「観察者の視界とオーバーラップする部分」は、「画像３２の左部と画像３３の左部である」ことが記載されている。
　また、上記（ｄ５）のステップにおいて、前記「立体視ペアの右側画像である単一の２次元第１画像」は、「その左側が当該画像３２の左部であり、右側が当該画像３３の左部である」ことが記載されている。
（７）上記１（５）及び（７）によれば、上記（ｄ６）のステップにおいて、前記「観察者の視界とオーバーラップする部分」は、「画像３１の右部と画像３２の右部である」ことが記載されている。
　また、上記（ｄ７）のステップにおいて、前記「立体視ペアの左側画像である単一の２次元第２画像」は、「その左側が当該画像３１の右部であり、右側が当該画像３２の右部である」ことが記載されている。
（８）上記１（６）によれば、上記（ｅ）の立体視表示のためのシステムにより表示するステップにおいて、「バーチャルリアリティーヘッドセットのような表示装置を利用することにより、立体視画像ペアを観察者に表示する」ことが記載されている。
（９）まとめ
　以上によれば、引用文献１には、以下のとおりの発明（以下、「引用発明」という。）が記載されている。
　なお、引用発明の各構成を、以降では、構成ａ〜構成ｅと称する。
（引用発明）
（ａ）立体視表示を可能にする手段を備えるシステムにより、観察者に表示される視界領域の完全な立体視球面画像をキャプチャし、表示するプロセスであって、当該プロセスは、
（ｂ）すべてのレンズによりキャプチャされる全体の視界がレンズアレイの周りの視界領域全体をカバーし、この全体の視界における任意の点が少なくとも２つのレンズによりキャプチャされるように、画像群をキャプチャする３次元レンズアレイを配置するステップ；
（ｂ１）レンズ１のそれぞれによりキャプチャされた画像（あるいは画像系列）情報が、画質の向上のため処理され、（画像あるいは画像系列）画像情報がレンズ指標と時間指標とともに記録され、カメラシステムから直接にリアルタイムで受信するステップ；
（ｃ）立体視表示のためのシステムから、観察者の視界の座標を受け取るステップ；
（ｃ１）前記立体視表示のためのシステムから受け取るステップは、観察者がバーチャルリアリティヘッドセットの装着中に頭を動かすことによって、表示システムにより表示パラメータが検出・受信され、観察者の表示パラメータには、観察者の視界方向と観察者の目線が含まれ、
（ｄ）画像群から観察者の視界をカバーする立体視画像ペアを形成するステップ；
　前記画像群から立体視画像ペアを形成するステップは、
（ｄ１）観察者の視界を画像群に投影するステップ；
（ｄ１１）ここで、前記観察者の視界を画像群に投影するステップは、前記表示パラメータに従い、観察者の視界がその周囲の球体の座標に関して決定され、記録されている画像群に投影され、
（ｄ２）画像群から、少なくとも部分的に観察者の視界とオーバーラップする画像グループを選択するステップ；
（ｄ２１）ここで、前記画像グループであるフレーム３１、３２及び３３は、カメラシステムのレンズにより撮影された観察者の視界をオーバーラップする３つの隣接画像であり、フレーム３１と３３がフレーム１００のそれぞれ左側と右側を部分的にオーバーラップしている一方、真ん中のフレーム３２はフレーム１００を完全にカバーしており、
（ｄ３）左画像部分のグループと右画像部分のグループ得るために、観察者の目線に垂直で画像中心を通る直線により選択された画像グループの各画像を左部と右部に分割するステップ；
（ｄ４）選択される左部のグループを得るために、左画像部分のグループから観察者の視界とオーバーラップする部分を選択するステップ；
（ｄ４１）ここで、前記観察者の視界とオーバーラップする部分は、画像３２の左部と画像３３の左部であり、
（ｄ５）選択された左部を立体視ペアの右側画像である単一の２次元第１画像に統合するステップ；
（ｄ５１）ここで、前記立体視ペアの右側画像である単一の２次元第１画像は、その左側が当該画像３２の左部であり、右側が当該画像３３の左部であり、
（ｄ６）選択される右部のグループを得るために、右画像部分のグループから観察者の視界とオーバーラップする部分を選択するステップ；
（ｄ６１）ここで、前記観察者の視界とオーバーラップする部分は、画像３１の右部と画像３２の右部であり、
（ｄ７）選択された右部を立体視ペアの左側画像である単一の２次元第２画像に統合するステップ；
（ｄ７１）ここで、前記立体視ペアの左側画像である単一の２次元第２画像は、その左側が当該画像３１の右部であり、右側が当該画像３２の右部であり、
（ｅ）立体視表示のためのシステムにより、バーチャルリアリティーヘッドセットのような表示装置を利用することにより、立体視画像ペアを観察者に表示するステップ；
（ａ）から構成されるプロセス。
第５　対比
　本願発明と、引用発明を対比する。
１　構成Ａについて
（１）構成ｃ〜構成ｄ１１の「観察者」は、構成ａの「立体視表示を可能にする手段を備えるシステム」のユーザであるといえる。
（２）構成ｃ１の「観察者の視界方向」は、「観察者がバーチャルリアリティヘッドセットの装着中に頭を動かすことによって」検出されるものであるから、構成Ａの「ユーザーの頭部向き」に相当する。
　そして、構成ｄ１１の「前記表示パラメータに従い、観察者の視界がその周囲の球体の座標に関して決定され」ることは、「ユーザーの頭部向きを決定する」といえる。
（３）構成ｄ１及び構成ｄ１１で決定した「観察者の視界」を用いて、構成ｄの「前記画像群から立体視画像ペアを形成するステップ」が行われるから、構成ｃ〜構成ｄ１１は、「画像群から立体視画像ペアを形成する」ためのものであるといえる。
　ここで、当該画像群の画像は、構成ｂ１のとおり、画像系列情報であり、カメラシステムから直接にリアルタイムで受信してもよいものであるから、引用発明において形成される当該「立体視画像ペア」は、複数の時刻における「立体視画像ペア」、すなわち、シーンの立体映像シーケンスであるといえる。
　してみると、構成ｃ〜構成ｄ１１は、画像群からシーンの立体映像シーケンスを形成するためのステップであるといえる。
（４）上記（１）〜（３）より、引用発明は、「シーンの立体映像シーケンスを形成するために、ユーザーの頭部向きを決定するステップ」を含んでいるといえるから、引用発明は、構成Ａを含む点で、本願発明と一致する。
２　構成Ｂについて
（１）構成ｄ２及びｄ２１は、「画像群から、少なくとも部分的に観察者の視界とオーバーラップする画像グループ」として、「フレーム３１、３２及び３３」の画像のグループを選択するものであるから、「観察者の視界に基づいて、フレーム３１、３２及び３３の画像のグループを選択する」ものといえる。
　そして、当該「観察者の視界」は、上記１（２）より、決定された観察者の頭部の向きに基づくものであるから、構成ｄ２及び構成ｄ２１は、「観察者の頭部の向きに基づいて、フレーム３１、３２及び３３の画像のグループを選択する」ものといえる
（２）また、構成ｄ２１の当該「フレーム３１、３２及び３３」の画像は、構成ｄ〜構成ｄ７１において、「立体視画像ペアを形成する」ためのソースであるといえる。
（３）上記（１）及び（２）より、構成ｄ〜ｄ７１は、「頭部向きに基づいて第１の画像ソース、第２の画像ソースおよび第３の画像ソースを選択するステップ」を含んでいるといえるから、引用発明は、構成Ｂを含む点で、本願発明と一致する。
３　構成Ｃ及びＣ１について
（１）構成ｄ７の「立体視ペアの左側画像」は、観察者の左眼に表示する画像であり、また、構成ｄ５の「立体視ペアの右側画像」は、観察者の右眼に表示する画像である。
　当該「立体視ペアの左側画像」は、構成ｄ６〜構成ｄ７１のとおり、「画像３１の右部と画像３２の右部」を統合することにより、また、当該「立体視ペアの右側画像」は、構成ｄ４〜構成ｄ５１のとおり、「画像３２の左部と画像３３の左部」を統合することにより」形成することから、構成ｄ２１〜構成ｄ７１の「画像３２」、「画像３１」、「画像３３」はそれぞれ、構成Ｃの「第１の画像ソース」、「第２の画像ソース」、「第３の画像ソース」に相当する。
（２）構成ｄ７において、「選択された右部」すなわち構成ｄ６１の「画像３１の右部と画像３２の右部」を、「立体視ペアの左側画像である単一の２次元第２画像に統合する」ことは、上記（１）及び上記１（３）より、第１の画像ソースおよび第２の画像ソースを用いてユーザーの左眼についての画像シーケンスをレンダリングすることといえる。
　同様に、構成ｄ５において、「選択された左部」、すなわち、構成ｄ４１の「画像３２の左部と画像３３の左部」を、「立体視ペアの右側画像である単一の２次元第１画像に統合する」ことは、上記（１）及び上記１（３）より、第１の画像ソースおよび前記第３の画像ソースを用いて前記ユーザーの右眼についての画像シーケンスをレンダリングすることといえる。
（３）また、構成ｄにおける「立体視画像ペア」は、構成ｄ５の「立体視ペアの右側画像」及び構成ｄ７の「立体視ペアの左側画像」であるから、構成ｄ〜ｄ７において、当該「立体視画像ペアを形成する」ことは、上記（２）及び上記１（３）より、「立体映像シーケンスをレンダリングする」ことといえる。
（４）上記（２）及び（３）より、構成ｄ〜構成ｄ７は、「前記第１の画像ソースおよび前記第２の画像ソースを用いてユーザーの左眼についての画像シーケンス、および、前記第１の画像ソースおよび前記第３の画像ソースを用いて前記ユーザーの右眼についての画像シーケンスをレンダリングすることによって前記立体映像シーケンスをレンダリングするステップ」を含んでいるといえるから、引用発明は、構成Ｃを含む点で、本願発明と一致する。
（５）構成ｄ４〜ｄ７１の「画像３２」は、構成ｄ５１及び構成ｄ７１のとおり、「立体視ペアの右側画像である単一の２次元第１画像」と「立体視ペアの左側画像である単一の２次元第２画像」とで、異なる側で使用されている。
（６）また、当該「立体視ペア」は、上記１（３）より、シーンの立体映像シーケンスを形成するものであり、その立体映像シーケンスの１つ１つが、「立体フレーム」といえることは自明である。
（７）上記（１）、（５）及び（６）より、構成ｄ〜ｄ７１は、「第１の画像ソースを、立体映像シーケンスの各立体フレーム内のユーザの左眼および右眼についてのシーンの異なる領域をレンダリングするために使用する」ものといえるから、引用発明は、構成Ｃ１を含む点で、本願発明と一致する。
５　構成Ｄについて
　構成ａは「プロセス」であるから、構成Ｄの「方法」と一致する。
６　まとめ
　したがって、本願発明と引用発明とは、
（Ａ）シーンの立体映像シーケンスを形成するためにユーザーの頭部向きを決定するステップと、
（Ｂ）前記頭部向きに基づいて第１の画像ソース、第２の画像ソースおよび第３の画像ソースを選択するステップと、
（Ｃ）前記第１の画像ソースおよび前記第２の画像ソースを用いてユーザーの左眼についての画像シーケンス、および、前記第１の画像ソースおよび前記第３の画像ソースを用いて前記ユーザーの右眼についての画像シーケンスをレンダリングすることによって前記立体映像シーケンスをレンダリングするステップであって、
（Ｃ１）前記第１の画像ソースが、前記立体映像シーケンスの各立体フレーム内の前記ユーザーの前記左眼および右眼についての前記シーンの異なるエリアをレンダリングするために使用される、ステップと、
（Ｄ）を含む方法。
として一致しており、相違点はない。 
　したがって、本願発明は、引用文献１に記載された発明である。
第６　むすび
　以上のとおり、本願発明は、引用文献１に記載された発明であるから、特許法第２９条第１項第３号に該当し、特許を受けることができない。
　したがって、本願は、その余の請求項について検討するまでもなく、拒絶をすべきものである。
　よって、結論のとおり審決する。